(57)【要約】      （修正有）【課題】学習実施途中でロックアップが外れても問題のないときにコースト容量学習値の推定を行うこと。【解決手段】ロックアップクラッチを有するトルクコンバータを、エンジン１と無段変速機の間に備えるエンジン車において、スムーズL/U解除制御部と、コーストL/U容量学習制御部と、を備える。スムーズL/U解除制御部は、アクセル足離しによる減速停車時、L/U解除車速以下になると、ロックアップクラッチの締結容量を徐々に低下させて締結解除へ移行する制御を行う。コーストL/U容量学習制御部は、アクセル足離しコースト状態でのエンジントルクと釣り合うコーストL/U容量の学習制御を行う。そして、スムーズL/U解除制御部によるL/U解除制御の実施中に、コーストL/U容量のコースト容量学習値CLPRSLを推定する。【選択図】図２
2016017622.tif 000002
【特許請求の範囲】
【請求項１】
ロックアップクラッチを有するトルクコンバータを、エンジンと無段変速機の間に備えた車両において、
アクセル足離しによる減速停車時、ロックアップ解除車速以下になると、前記ロックアップクラッチの締結容量を徐々に低下させて締結解除へ移行する制御を行うスムーズロックアップ解除制御手段と、
アクセル足離しコースト状態でのエンジントルクと釣り合うコーストロックアップ容量の学習制御を行うコーストロックアップ容量学習制御手段と、を設け、
前記コーストロックアップ容量学習制御手段は、前記スムーズロックアップ解除制御手段によるロックアップ解除制御の実施中に、前記コーストロックアップ容量のコースト容量学習値を推定する
ことを特徴とする車両のロックアップクラッチ制御装置。
【請求項２】
請求項１に記載された車両のロックアップクラッチ制御装置において、
前記コーストロックアップ容量学習制御手段は、スムーズロックアップ解除指令の傾きと、前記ロックアップクラッチのスリップ開始からスリップ発生を確定するまでのスリップ時間と、前記スリップ発生を確定した時のロックアップ指令値と、ロックアップ油圧の指令に対する実油圧の応答遅れ時間と、に基づき、前記コーストロックアップ容量のコースト容量学習値を推定する
ことを特徴とする車両のロックアップクラッチ制御装置。
【請求項３】
請求項１又は２に記載された車両のロックアップクラッチ制御装置において、
前記コーストロックアップ容量学習制御手段は、スムーズロックアップ解除指令が出されるロックアップ解除車速を挟んだ前後車速領域にて、前記トルクコンバータのタービン回転数を一定状態に保ったままとする前記無段変速機の変速比制御を行う
ことを特徴とする車両のロックアップクラッチ制御装置。
【請求項４】
請求項１から請求項３までの何れか一項に記載された車両のロックアップクラッチ制御装置において、
前記コーストロックアップ容量学習制御手段は、前記ロックアップクラッチのスリップを表すスリップ相当値の判定閾値として、スリップ検知閾値と、前記スリップ検知閾値より大きな値によるスリップ確定閾値を設定し、前記スリップ相当値が、前記スリップ検知閾値を超えてから前記スリップ確定閾値を超えるまでの所要時間を、前記ロックアップクラッチのスリップ検知からスリップ発生を確定するまでのスリップ時間とする
ことを特徴とする車両のロックアップクラッチ制御装置。
【請求項５】
請求項２から請求項４までの何れか一項に記載された車両のロックアップクラッチ制御装置において、
前記コーストロックアップ容量学習制御手段は、ロックアップ油圧の指令に対する実油圧の応答遅れ時間の設定値を、コースト容量学習値の更新があり、かつ、スリップ検知時にロックアップ解除指令値の変動が小さいとき、ロックアップ解除指令がコースト容量学習値に到達した時刻から、前記ロックアップクラッチのスリップ発生が検知される時刻までの所要時間を用いて補正する応答遅れ時間設定値補正部を有する
ことを特徴とする車両のロックアップクラッチ制御装置。
【発明の詳細な説明】
【技術分野】
【０００１】
本発明は、アクセル足離しコースト状態でのエンジントルクと釣り合うコーストロックアップ容量の学習制御を行う車両のロックアップクラッチ制御装置に関する。
【背景技術】
【０００２】
従来、コーストL/U容量（以下、「ロックアップ」を「L/U」と省略する。）の学習手法としては、L/U許可車速以上のL/U締結中において、アクセル足離し操作が行われてコースト状態になったら、L/U締結圧を徐々に下げてゆく。そして、ロックアップクラッチにスリップ回転が発生したことを検知したら、その時の指令値をコースト容量学習値とする装置が知られている（例えば、特許文献１参照）。
【先行技術文献】
【特許文献】
【０００３】
【特許文献１】特開２００８−８３２１号公報
【発明の概要】
【発明が解決しようとする課題】
【０００４】
しかしながら、従来装置にあっては、L/U許可車速以上のとき、定常に近い状態を連続させた上、スリップポイント（エンジンのコーストトルクと釣り合う容量）を探る学習制御を行っていた。このように、本来、ロックアップクラッチを締結すべき状態において、コーストL/U容量の学習値を探っていたため、外乱により学習実施途中でロックアップが外れてL/U解除されてしまった場合、燃費・運転性を悪化させてしまう、という問題があった。
【０００５】
本発明は、上記問題に着目してなされたもので、学習実施途中でロックアップが外れても問題のないときにコースト容量学習値の推定を行うことができる車両のロックアップクラッチ制御装置を提供することを目的とする。
【課題を解決するための手段】
【０００６】
上記目的を達成するため、本発明は、ロックアップクラッチを有するトルクコンバータを、エンジンと無段変速機の間に備えた車両において、スムーズロックアップ解除制御手段と、コーストロックアップ容量学習制御手段と、を設けた。
スムーズロックアップ解除制御手段は、アクセル足離しによる減速停車時、ロックアップ解除車速以下になると、前記ロックアップクラッチの締結容量を徐々に低下させて締結解除へ移行する制御を行う。
コーストロックアップ容量学習制御手段は、アクセル足離しコースト状態でのエンジントルクと釣り合うコーストロックアップ容量の学習制御を行う。そして、スムーズロックアップ解除制御手段によるロックアップ解除制御の実施中に、コーストロックアップ容量のコースト容量学習値を推定する。
【発明の効果】
【０００７】
よって、スムーズロックアップ解除制御手段によるロックアップ解除制御の実施中に、コーストロックアップ容量のコースト容量学習値が推定される。
すなわち、ロックアップ解除が目的のスムーズロックアップ解除制御の実施シーンにおいて、スムーズロックアップ解除と同時にコースト容量学習値が推定される。
この結果、学習実施途中でロックアップが外れても問題のないときにコースト容量学習値の推定を行うことができる。
【図面の簡単な説明】
【０００８】
【図１】実施例１のロックアップクラッチ制御装置が適用されたエンジン車を示す全体システム図である。
【図２】実施例１のロックアップクラッチ制御装置のＣＶＴコントロールユニットにて実行されるコーストロックアップ容量学習制御処理の流れを示すフローチャートである。
【図３】実施例１のコーストロックアップ容量学習制御処理で用いられる油圧応答遅れ時間の設定値補正処理の流れを示すフローチャートである。
【図４】初期値（未学習）から学習後のコースト時ロックアップ油圧の変化特性を示すコースト時LU油圧特性図である。
【図５】比較例におけるコーストロックアップ容量学習制御内容を示すタイムチャートである。
【図６】実施例１の車両のロックアップクラッチ制御装置でのコーストロックアップ容量学習制御時における車速・タービン回転数・エンジン回転数・L/U指令油圧・L/U実油圧の各特性を示すタイムチャートである。
【図７】L/U指令油圧に対する実L/U油圧の油圧応答遅れ時間T_dを示す図である。
【図８】学習制御に備えて目標入力回転数（＝タービン回転数）を一定に維持する無段変速機の変速比制御を示す変速マップ図である。
【図９】学習制御に備えて目標入力回転数（＝タービン回転数）を一定に維持する無段変速機の変速比制御を行ったときの減速度違いでの車速・回転数（タービン回転数、エンジン回転数）・L/U指令油圧・L/U実油圧の各特性を示すタイムチャートである。
【図１０】油圧応答遅れ時間T_dの設定値補正作用を説明するための回転数（タービン回転数、エンジン回転数）・L/U指令油圧・L/U実油圧の各特性を示すタイムチャートである。
【発明を実施するための形態】
【０００９】
以下、本発明の車両のロックアップクラッチ制御装置を実現する最良の形態を、図面に示す実施例１に基づいて説明する。
【実施例１】
【００１０】
まず、構成を説明する。
実施例１における車両のロックアップクラッチ制御装置の構成を、「全体システム構成」、「コーストロックアップ容量学習制御構成」、「油圧応答遅れ時間の設定値補正構成」に分けて説明する。
【００１１】
［全体システム構成］
図１は、実施例１のロックアップクラッチ制御装置が適用されたエンジン車を示す。以下、図１に基づき、全体システム構成を説明する。
【００１２】
実施例１のロックアップクラッチ制御装置が適用されたエンジン車駆動系は、図１に示すように、エンジン１と、エンジン出力軸２と、ロックアップクラッチ３と、トルクコンバータ４と、変速機入力軸５と、無段変速機６と、ドライブシャフト７と、駆動輪８と、を備えている。
【００１３】
前記ロックアップクラッチ３は、トルクコンバータ４に内蔵され、クラッチ解放によりトルクコンバータ４を介してエンジン１と無段変速機６を連結し、クラッチ締結によりエンジン出力軸２と変速機入力軸５を直結する。このロックアップクラッチ３は、後述するＣＶＴコントロールユニット１２からのL/U指令油圧に基づいて作り出されたL/U実油圧により、締結/スリップ締結/解放が制御される。
【００１４】
前記トルクコンバータ４は、ポンプインペラ４１と、ポンプインペラ４１に対向配置されたタービンランナ４２と、ポンプインペラ４１とタービンランナ４２の間に配置されたステータ４３と、を有する。このトルクコンバータ４は、内部に満たされた作動油が、ポンプインペラ４１とタービンランナ４２とステータ４３の各ブレードを循環することによりトルクを伝達する流体継手である。ポンプインペラ４１は、内面がロックアップクラッチ３の締結面であるコンバータカバー４４を介してエンジン出力軸２に連結される。タービンランナ４２は、変速機入力軸５に連結される。ステータ４３は、ワンウェイクラッチ４５を介して静止部材（トランスミッションケース等）に設けられる。
【００１５】
前記無段変速機６は、プライマリプーリとセカンダリプーリへのベルト接触径を変えることにより変速比を無段階に制御するベルト式無段変速機等であり、変速後の出力回転はドライブシャフト７を介して駆動輪８へ伝達される。
【００１６】
実施例１のロックアップクラッチ制御装置が適用された制御系は、図１に示すように、エンジンコントロールユニット１１と、ＣＶＴコントロールユニット１２と、ＣＡＮ通信線１３と、を備えている。入力情報を得るセンサ類として、エンジン回転センサ１４と、タービン回転センサ１５（＝変速機入力回転センサ）と、変速機出力回転センサ１６（＝車速センサ）と、アクセル開度センサ１７と、他のセンサ・スイッチ類１８と、を備えている。
【００１７】
前記エンジンコントロールユニット１１は、アクセル踏み込み時、踏み込み操作量に応じた燃料噴射量とする燃料噴射制御や、アクセル足離し時、各気筒への燃料噴射を停止するフューエルカット制御等を行う。
【００１８】
前記ＣＶＴコントロールユニット１２は、無段変速機６の変速比制御以外に、ロックアップクラッチ３のスムーズL/U解除制御、ロックアップクラッチ３のコーストL/U容量学習制御、油圧応答遅れ時間T_dの設定値補正制御、等を行う。スムーズL/U解除制御は、スムーズL/U解除制御部１２ａにて実施され、アクセル足離しによる減速停車時、L/U解除車速以下になると、ロックアップクラッチ３の締結容量を徐々に低下させて締結解除へ移行する。コーストL/U容量学習制御は、コーストL/U容量学習制御部１２ｂにて実施され、アクセル足離しコースト状態でのエンジントルク（負トルク）と釣り合うコーストL/U容量の学習値を得る。油圧応答遅れ時間T_dの設定値補正制御は、コーストL/U容量学習制御部１２ｂに有する応答遅れ時間設定値補正部１２ｃにて実施され、学習値を更新した後、油圧応答遅れ時間T_dの設定値をスリップ検知に基づいて補正する。なお、エンジンコントロールユニット１１とＣＶＴコントロールユニット１２は、双方向に情報交換可能なＣＡＮ通信線１３により接続されている。
【００１９】
［コーストロックアップ容量学習制御構成］
図２は、実施例１のＣＶＴコントロールユニット１２にて実行されるコーストL/U容量学習制御処理流れを示す（コーストロックアップ容量学習制御手段）。以下、コーストL/U容量学習制御処理構成をあらわす図２の各ステップについて説明する。
【００２０】
なお、図２に示す処理は、アクセル足離し時にロックアップクラッチ３を締結するコーストL/U締結指令の出力により開始される。そして、車速がスムーズL/U解除制御でのL/U解除車速VSP_LUOFFより少し高い車速VSP2から学習制御終了域の車速VSP1まで、タービン回転数を一定に維持する無段変速機６の変速比制御が行われる（図８参照）。つまり、L/U解除指令が出力される時刻t0を含む前後所定時間（数秒間）の間は、タービン回転数が一定、若しくは、一定に近い状態に保たれる。
【００２１】
ステップＳ２１では、L/U解除指令ONになったか否かを判断する。YES（L/U解除指令ON）の場合はステップＳ２２へ進み、NO（L/U解除指令OFF：L/U締結指令）の場合はエンドへ進む。
【００２２】
ステップＳ２２では、ステップＳ２１でのL/U解除指令ONであるとの判断に続き、L/U解除指令によるL/U解除が、L/U解除車速以下になると実行されるスムーズL/U解除制御（＝スムーズオフ制御）であるか否かを判断する。YES（スムーズL/U解除）の場合はステップＳ２３へ進み、NO（スムーズL/U解除以外）の場合はエンドへ進む。
【００２３】
ステップＳ２３では、ステップＳ２２でのスムーズL/U解除であるとの判断、或いは、ステップＳ２４でのT_Slip1のリセット、或いは、ステップＳ２６でのスリップ回転数≦SLIP_N2であるとの判断に続き、タービン回転数Ntとエンジン回転数Neの差によるスリップ回転数（Nt−Ne）が、スリップ検知差回転数SLIP_N1を超えているか否かを判断する。YES（スリップ回転数＞SLIP_N1）の場合はステップＳ２５へ進み、NO（スリップ回転数≦SLIP_N1）の場合はステップＳ２４へ進む。
ここで、スリップ検知差回転数SLIP_N1は、図６に示すように、スリップが発生したことを検知できる小さな回転数差に設定される。
【００２４】
ステップＳ２４では、ステップＳ２３でのスリップ回転数≦SLIP_N1に続き、スリップ時間T_Slip1のカウント値をリセットし、ステップＳ２３へ進む。
【００２５】
ステップＳ２５では、ステップＳ２３でのスリップ回転数＞SLIP_N1に続き、スリップ時間T_Slip1をカウントし、ステップＳ２６へ進む。
【００２６】
ステップＳ２６では、ステップＳ２５でのスリップ時間T_Slip1のカウントに続き、スリップ回転数（Nt−Ne）が、L/U解放確定差回転数SLIP_N2を超えているか否かを判断する。YES（スリップ回転数＞SLIP_N2）の場合はステップＳ２７へ進み、NO（スリップ回転数≦SLIP_N2）の場合はステップＳ２３へ戻る。
ここで、L/U解放確定差回転数SLIP_N2（＞SLIP_N1）は、図６に示すように、スリップ回転数の上昇が進行し、L/U解放が確定したことをあらわす大きな回転数差に設定される。
【００２７】
ステップＳ２７では、ステップＳ２６でのスリップ回転数＞SLIP_N2であるとの判断に続き、今回のスリップ開始L/U容量推定値（＝コースト容量学習値CLPRSL）を演算し、ステップＳ２８へ進む。
今回のコースト容量学習値CLPRSL(NEW)の演算式は、
CLPRSL(NEW)＝LUPRS(t3)＋α(T_d＋T_Slip0＋T_Slip1)    …(1)
である。
【００２８】
上記(1)式において、LUPRS(t3)は、スリップ発生が確定した時刻t3でのL/U指令油圧（ロックアップ指令値）である。αは、スムーズロックアップ解除指令の傾きであるL/U解除スロープであり、減速度によらず一定の傾きで与えられる。T_dは、L/U指令油圧に対する実L/U油圧の油圧応答遅れ時間であり、初期値は実験データにより取得したノミナル値として与えられる。(T_Slip0＋T_Slip1)は、ロックアップクラッチ３のスリップ開始からスリップ発生を確定するまでのスリップ時間である。スリップ検知からスリップ発生を確定するまでの所要時間T_Slip1は、実測値(t3−t2)により決められる。一方、ロックアップクラッチ３のスリップ開始からスリップ検知までの所要時間T_Slip0については、スリップ検知時刻t2とスリップ確定時刻t3の２つのエンジン回転数を結んだエンジン回転数低下線を延長したとき、タービン回転数に交わる点により推定されるスリップ開始時刻t1’により決められる。
【００２９】
ステップＳ２８では、ステップＳ２７での今回のコースト容量学習値CLPRSL(NEW)の演算に続き、今回のコースト容量学習値CLPRSL(NEW)が、既に記憶されているコースト容量学習値CLPRSL(OLD)より小さいか否かを判断する。YES（CLPRSL(NEW)＜CLPRSL(OLD)）の場合はステップＳ２９へ進み、NO（CLPRSL(NEW)≧CLPRSL(OLD)）の場合はエンドへ進む。
【００３０】
ステップＳ２９では、ステップＳ２８でのCLPRSL(NEW)＜CLPRSL(OLD)であるとの判断に続き、コースト容量学習値CLPRSLを、コースト容量学習値CLPRSL(NEW)に更新し、エンドへ進む。
【００３１】
［油圧応答遅れ時間の設定値補正構成］
図３は、実施例１のコーストロックアップ容量学習制御処理で用いられる油圧応答遅れ時間の設定値補正処理の流れを示す（油圧応答遅れ時間設定値補正部）。以下、図３に基づき油圧応答遅れ時間の設定値補正構成をあらわす各ステップについて説明する。
【００３２】
ステップＳ３１では、前回のスムーズL/U解除制御によるスムーズオフ時、コースト容量学習値（推定コーストL/U学習値）が更新されたか否かを判断する。YES（学習値更新有り）の場合はステップＳ３２へ進み、NO（学習値更新無し）の場合はエンドへ進む。
【００３３】
ステップＳ３２では、ステップＳ３１での学習値更新有りとの判断に続き、スリップ検知指令圧LUPRS(tb)は、前回のスリップ検知指令圧LUPRS(tb)に対して変動が所定値以下か否かを判断する。YES（LUPRS(tb)の変動が所定値以下）の場合はステップＳ３３へ進み、NO（LUPRS(tb)の変動が所定値を超える）の場合はエンドへ進む。
【００３４】
ステップＳ３３では、ステップＳ３２でのスリップ検知指令圧LUPRS(tb)の変動が所定値以下であるとの判断に続き、更新された学習値(CLPRSL)は、前回のスムーズオフ時に推定した学習値より大であるか否かを判断する。YES（更新学習値＞前回学習値）の場合はステップＳ３４へ進み、NO（更新学習値≦前回学習値）の場合はステップＳ３５へ進む。
【００３５】
ステップＳ３４では、ステップＳ３３での更新学習値＞前回学習値であるとの判断に続き、更新学習値(CLPRSL)の指令値に到達してからスリップ検知までの時間ΔT(＝tb−ta)＞（T_d＋T_Slip0）であるか否かを判断する。YES（ΔT＞（T_d＋T_Slip0））の場合はステップＳ３６へ進み、NO（ΔT≦（T_d＋T_Slip0））の場合はエンドへ進む。
【００３６】
ステップＳ３５では、ステップＳ３３での更新学習値≦前回学習値であるとの判断に続き、更新学習値(CLPRSL)の指令値に到達してからスリップ検知までの時間ΔT(＝tb−ta)＜（T_d＋T_Slip0）であるか否かを判断する。YES（ΔT＜（T_d＋T_Slip0））の場合はステップＳ３６へ進み、NO（ΔT≧（T_d＋T_Slip0））の場合はエンドへ進む。
【００３７】
ステップＳ３６では、ステップＳ３４でのΔT＞（T_d＋T_Slip0）であるとの判断、或いは、ステップＳ３５でのΔT＜（T_d＋T_Slip0）であるとの判断に続き、油圧応答遅れ時間T_dの設定値を、
T_d(NEW)＝ΔT(＝tb−ta)−T_Slip0
の式により修正し、エンドへ進む。
【００３８】
次に、作用を説明する。
実施例１のロックアップクラッチ制御装置における作用を、「比較例の課題」、「コーストL/U容量学習制御作用」、「コーストL/U容量学習制御の特徴作用」、「油圧応答遅れ時間補正作用」に分けて説明する。
【００３９】
［比較例の課題］
コーストL/U容量を学習制御する目的は、L/U解除応答性を向上させるため、コースト走行時（フューエルカット状態）において、L/U油圧を可能な限り下げることにある。
すなわち、図４に示すように、コースト時L/U油圧は、工場出荷時の初期値（未学習）は高いが、ユーザによる普段乗りの中で学習が行われ、コースト時のエンジントルク（負トルク）と釣り合う容量のコースト時L/U油圧まで下げられる。
【００４０】
このように、コースト時L/U油圧を、初期値から学習後の低い油圧まで下げることで得られる性能効果として、
(a) エンジンストールの防止（急減速時）
(b) L/U解除ショックの改善（緩減速時）
(c) チップインショックの改善（コーストからの再加速時）
等がある。ここで、チップインショック（Tip-in Shock）とは、コースト状態からの再加速時、ステップ的な入力トルクによるショックをいう。
【００４１】
これに対し、コーストL/U容量の学習制御として、L/U許可車速以上のとき、定常に近い状態を連続させた上で、スリップポイント（エンジンのコーストトルクと釣り合うコーストL/U容量）を探る学習制御を比較例とする。以下、図５に基づき、比較例の学習制御を説明する。
【００４２】
この比較例の場合、学習を行う車速は、例えば、60km/h〜30km/hのL/U許可車速以上のときになる。そして、図５の時刻t1にてアクセル足離し操作を行うと、(1) L/U油圧指令を、初期値（未学習）まで低下させて時刻t2まで暫く待つ。(2) L/U油圧指令を、時刻t2から時刻t3に向けて徐々に油圧を下げてゆく。(3) 時刻t3にて所定の滑り（学習値更新差回転）を検知したら、(4) 学習値を更新し、L/U締結状態に戻すように油圧指令を高める。という手順により学習値が推定される。
【００４３】
このように、比較例の場合には、ロックアップクラッチを締結したドライブ走行状態からアクセル足離しによるコースト走行状態に移行したときに学習制御を実施している。このため、学習値の収束を早くするため、締結容量（L/U油圧）の下げ量を大きくすると、学習制御の途中での外乱（例えば、エアコン等の補機負荷のON/OFF、ブレーキ踏力の急な変動、等）により、ロックアップが外れてL/U解除されてしまうおそれがある。その結果として、燃費及び運転性のフィーリングが悪化する。反対に、締結容量（L/U油圧）の下げ量を少なくすると、学習が完了するまでに長い時間がかかり、本来の目的のL/U解除応答性改善が得られない。その結果、エンジンストール防止等の性能が得られない。
【００４４】
［コーストL/U容量学習制御作用］
実施例１のコーストL/U容量学習制御作用を、図２のフローチャート及び図６のタイムチャートに基づき説明する。
【００４５】
コーストL/U締結による減速時、車速がL/U解除車速になり、L/U解除指令ON、かつ、スムーズL/U解除制御が開始されると、図２のフローチャートにおいて、ステップＳ２１→ステップＳ２２→ステップＳ２３へと進む。そして、タービン回転数Ntとエンジン回転数Neの差によるスリップ回転数（Nt−Ne）が、スリップ検知差回転数SLIP_N1以下である間は、ステップＳ２３→ステップＳ２４への流れが繰り返される。
【００４６】
スリップ回転数（Nt−Ne）がスリップ検知差回転数SLIP_N1を超えると、スリップ回転数（Nt−Ne）がL/U解放確定差回転数SLIP_N2以下である間は、ステップＳ２３からステップＳ２５→ステップＳ２６へと進む流れが繰り返される。ステップＳ２５では、スリップ時間T_Slip1がカウントされ、ステップＳ２６では、スリップ回転数（Nt−Ne）がL/U解放確定差回転数SLIP_N2を超えているか否かが判断される。
【００４７】
スリップ回転数（Nt−Ne）がL/U解放確定差回転数SLIP_N2を超えると、ステップＳ２６からステップＳ２７へ進み、ステップＳ２７では、上記(1)式を用いて、今回のスリップ開始L/U容量推定値（＝コースト容量学習値CLPRSL）が演算される。次のステップＳ２８では、今回のコースト容量学習値CLPRSL(NEW)が、既に記憶されているコースト容量学習値CLPRSL(OLD)より小さいか否かが判断される。そして、ステップＳ２８でのCLPRSL(NEW)＜CLPRSL(OLD)であると判断されると、ステップＳ２９へ進み、コースト容量学習値CLPRSLが、コースト容量学習値CLPRSL(NEW)に更新される。
【００４８】
図６において、時刻t0はL/U解除指令時刻である。時刻t1はL/U指令油圧LUPRSがL/Uスリップ発生容量になったと推定される時刻であり、時刻t1’はL/U実油圧がL/Uスリップ発生容量になりスリップの発生が開始されたと推定される時刻である。時刻t2はスリップ回転数（Nt−Ne）がスリップ検知差回転数SLIP_N1に到達した時刻である。時刻t3はスリップ回転数（Nt−Ne）がL/U解放確定差回転数SLIP_N2に到達した時刻である。時刻t4はコースト容量学習値の更新時刻であり、時刻t5はコーストL/U容量学習値の推定禁止及び更新禁止の時刻である。
【００４９】
時刻t0において、L/U指令油圧LUPRSを一定のL/U解除スロープαにより徐々に低下させるスムーズL/U解除制御が開始されると、コーストL/U容量学習値の推定が許可される。そして、時刻t2にてスリップ回転数（Nt−Ne）がスリップ検知差回転数SLIP_N1に到達し、かつ、時刻t3にてスリップ回転数（Nt−Ne）がL/U解放確定差回転数SLIP_N2に到達すると、今回のコースト容量学習値CLPRSL(NEW)が演算され、学習値の更新が許可される。
【００５０】
つまり、スリップ発生が確定した時刻t3に到達すると、時刻t3でのL/U指令油圧LUPRS(t3)と、スリップ検知からスリップ発生を確定するまでの所要時間T_Slip1（＝t3−t2）と、の情報が取得される。そして、L/U解除スロープαは、減速度によらず一定の傾きで与えられた既知の値であり、L/U指令油圧に対する実L/U油圧の油圧応答遅れ時間T_dは、図７に示すように、システムの油圧応答特性により決まる設定値である。さらに、ロックアップクラッチ３のスリップ開始からスリップ検知までの所要時間T_Slip0は、スリップ検知時刻t2からスリップ確定時刻t3までのエンジン回転数変化により推定される値である。よって、これらの情報を用い、今回のコースト容量学習値CLPRSL(NEW)が、
CLPRSL(NEW)＝LUPRS(t3)＋α(T_d＋T_Slip0＋T_Slip1)    …(1)
の式を用いて演算される。
【００５１】
時刻t4になると、コースト容量学習値が更新され、時刻t5になると、コーストL/U容量学習値の推定及び更新が禁止され、１回のスムーズL/U解除制御を経験することで、コースト容量学習値を得る学習制御が完了し、ロックアップクラッチ３が解放される。そして、次回からのスムーズL/U解除制御では、学習値の更新があるまで今回のコースト容量学習値CLPRSL(NEW)にオフセット圧を加えた容量を得る指令が、スムーズL/U解除時のL/U締結容量指令として用いられる（図１０参照）。
【００５２】
上記のように、実施例１では、スムーズL/U解除制御であるスムーズオフ制御の実施中に、コーストL/U容量のコースト容量学習値CLPRSLを推定する構成とした。
すなわち、図６に示すように、ロックアップ解除が目的のスムーズL/U解除制御の実施シーンにおいて、スムーズL/U解除と同時にコースト容量学習値CLPRSLが推定される。
この結果、学習実施途中で外乱等によりロックアップが外れてL/U解除されても問題のないときにコースト容量学習値CLPRSLの推定を行うことができる。言い換えると、コースト容量学習制御の途中でロックアップが外れることをおそれる必要がない。
【００５３】
実施例１では、学習制御において、L/U指令油圧LUPRS(t3)と、スリップ所要時間（T_Slip0＋T_Slip1）と、L/U解除スロープαと、油圧応答遅れ時間T_dと、を用い、今回のコースト容量学習値CLPRSL(NEW)を上記式(1)にて演算推定する構成とした。
比較例においては、学習速度が速いとL/U解除されてしまうおそれがあるため、学習速度を早くすることが難しい。また、減速度が強い場合、コースト状態からL/U解除までの時間が短くなるので、数回のコースト減速を経験しないと学習が完了できない。
これに対し、減速度にかかわらずL/U解除スロープαが一定であるスムーズオフ制御でのL/U解除中に学習値の推定を実施するので、図６に示すように、L/U解除ポイント(容量)が確実に精度良く表れる。
したがって、例えば、スムーズオフ制御での一度のL/U解除の経験であっても、コーストL/U容量の学習を完了させることが可能である。
【００５４】
［コーストL/U容量学習制御の特徴作用］
実施例１では、スムーズL/U解除指令が出されるL/U解除車速VSP_LUOFFを挟んだ前後車速領域にて、トルクコンバータ４のタービン回転数（＝変速機入力回転数）を一定状態に保ったままとする無段変速機６の変速比制御を行う構成とした。
すなわち、図８に示すように、変速比制御側では、L/U解除車速VSP_LUOFFを挟んだ前後車速領域ΔVSP（VSP1〜VSP2）が、L/U解除時の目標入力回転数として一定回転数を与える。これによって、図９に示すように、L/U解除指令時刻t0を挟む前後の時間領域にてタービン回転数が一定、若しくは、一定に近い状態に保たれることになる。
このように、無段変速機６の変速比制御を活用し、L/U解除前後において、タービン回転数を一定、若しくは、一定に近い状態を保つことによって、減速度違いによるエンジン１側のイナシャートルクの影響を消すことができる。
その結果、減速度によらず、安定的にコーストL/U容量の推定が可能となり、コーストL/U容量の学習制御精度が向上する。
【００５５】
実施例１では、ロックアップクラッチ３のスリップ判定閾値として、スリップ検知差回転数SLIP_N1（スリップ検知閾値）と、スリップ検知差回転数SLIP_N1より大きな値によるL/U解放確定差回転数SLIP_N2（スリップ確定閾値）を設定する。そして、スリップ回転数（Nt−Ne）が、スリップ検知差回転数SLIP_N1を超えてからL/U解放確定差回転数SLIP_N2までの所要時間を、ロックアップクラッチ３のスリップ検知からスリップ発生を確定するまでのスリップ時間T_Slip1とする構成とした。
このように、スリップ判定閾値として、スリップ検知差回転数SLIP_N1を用いることで、スリップ発生タイミングの誤検知を防止できる。そして、スリップ判定閾値として、L/U解放確定差回転数SLIP_N2を用いることで、確実にスリップが発生した時のL/U指令油圧を検知できる。加えて、ロックアップクラッチ３のスリップ検知からスリップ発生を確定するまでの所要時間を、スリップ時間T_Slip1として精度良く得ることができる。
その結果、ロックアップクラッチ３のスリップ判定閾値として、スリップ検知差回転数SLIP_N1とL/U解放確定差回転数SLIP_N2の２つの判定目的を異ならせた閾値を用いることで、コーストL/U容量の学習制御精度が向上する。
【００５６】
［油圧応答遅れ時間補正作用］
実施例１の油圧応答遅れ時間補正作用を、図３のフローチャート及び図６のタイムチャートに基づき説明する。
【００５７】
前回のスムーズL/U解除制御によるスムーズオフ時、コースト容量学習値が更新され、かつ、スリップ検知指令圧LUPRS(tb)の前回からの変動が所定値以下のとき、図３のフローチャートにおいて、ステップＳ３１→ステップＳ３２→ステップＳ３３へと進む。このステップＳ３３では、更新された学習値(CLPRSL)は、前回のスムーズオフ時に推定した学習値より大であるか否かが判断される。
【００５８】
ステップＳ３３にて更新学習値＞前回学習値であると判断されるとステップＳ３４へ進み、ステップＳ３４では、更新学習値(CLPRSL)の指令値に到達してからスリップ検知までの時間ΔT(＝tb−ta)＞（T_d＋T_Slip0）であるか否かが判断される。ステップＳ３４にてΔT＞（T_d＋T_Slip0）であると判断されると、ステップＳ３６へ進み、ステップＳ３６では、油圧応答遅れ時間T_dの設定値が、
T_d(NEW)＝ΔT(＝tb−ta)−T_Slip0          …(2)
の式により修正される。
【００５９】
一方、ステップＳ３３にて更新学習値≦前回学習値であると判断されるとステップＳ３５へ進み、ステップＳ３５では、更新学習値(CLPRSL)の指令値に到達してからスリップ検知までの時間ΔT(＝tb−ta)＜（T_d＋T_Slip0）であるか否かが判断される。ステップＳ３５にてΔT＜（T_d＋T_Slip0）であると判断されると、ステップＳ３６へ進み、ステップＳ３６では、油圧応答遅れ時間T_dの設定値が、
T_d(NEW)＝ΔT(＝tb−ta)−T_Slip0          …(2)
の式により修正される。
【００６０】
次に、油圧応答遅れ時間T_dを補正する理由について説明する。
本発明は、スムーズL/U解除制御の過渡状態において、ロックアップクラッチ３の滑りを検知した指令値（図７のL/U指令油圧LUPRS(tb)）を基準に、油圧応答遅れ時間T_dを用いて、定常時におけるコースト容量学習値CLPRSL（スリップが発生するタイミングの指令値）を推定している。
このため、油圧応答遅れ時間T_dの設定値精度（個体バラツキ）次第では、推定されるコースト容量学習値CLPRSLが実学習値（真値）に対して多少ズレが発生する可能性がある。但し、真値とズレが生じた場合においても、L/U締結中の容量学習等との併用により、真値に近い推定値から学習をスタートすることができるので、本発明の狙いでもある学習収束の早期化が可能である。
【００６１】
そこで、実施例１では、学習制御が進み、スムーズL/U解除制御の過渡状態において推定したコースト容量学習値CLPRSLが更新された場合、かつ、L/Uスリップ検知時のL/U指令油圧LUPRS(tb)に大きな変動がない場合は、油圧応答遅れ考慮時間T_dの設定値が実際の応答遅れ時間とズレが発生していると判断できるので、油圧応答遅れ考慮時間T_dの修正を実施するようにした。
【００６２】
実施例１の油圧応答遅れ考慮時間T_dの修正（＝補正）は、図１０に示すように、L/U解除指令がコースト容量学習値（更新後）に到達した時刻taから、ロックアップクラッチ３のスリップ発生検知時刻tbまでの所要時間ΔTを用いて行う。
この油圧応答遅れ考慮時間T_dを修正するメリットは、油圧応答遅れ考慮時間T_dを実際の遅れ時間に合わせることができ、コーストL/U容量の学習制御精度を向上させることができることにある。そして、学習制御精度の向上によって、誤学習や学習値異常等により、学習値をリセットする（工場出荷時の初期値に戻して、学習をやり直す）場合においても、正確な学習値に早期に復帰できる。
【００６３】
次に、効果を説明する。
実施例１のロックアップクラッチ制御装置にあっては、下記に列挙する効果を得ることができる。
【００６４】
(1) ロックアップクラッチ３を有するトルクコンバータ４を、エンジン１と無段変速機６の間に備えた車両（エンジン車）において、
アクセル足離しによる減速停車時、ロックアップ解除車速（VSP_LUOFF）以下になると、ロックアップクラッチ３の締結容量を徐々に低下させて締結解除へ移行する制御を行うスムーズロックアップ解除制御手段（スムーズL/U解除制御部１２ａ）と、
アクセル足離しコースト状態でのエンジントルクと釣り合うコーストロックアップ容量の学習制御を行うコーストロックアップ容量学習制御手段（コーストL/U容量学習制御部１２ｂ）と、を設け、
コーストロックアップ容量学習制御手段（コーストL/U容量学習制御部１２ｂ）は、スムーズロックアップ解除制御手段（スムーズL/U解除制御部１２ａ）によるロックアップ解除制御（L/U解除制御）の実施中に、コーストロックアップ容量のコースト容量学習値CLPRSLを推定する（図２）。
このため、学習実施途中でロックアップが外れても問題のないときにコースト容量学習値CLPRSLの推定を行うことができる。
【００６５】
(2) コーストロックアップ容量学習制御手段（コーストL/U容量学習制御部１２ｂ）は、スムーズロックアップ解除指令の傾き（L/U解除スロープα）と、ロックアップクラッチ３のスリップ開始からスリップ発生を確定するまでのスリップ時間（T_Slip0＋T_Slip1）と、スリップ発生を確定した時（時刻t3）のロックアップ指令値LUPRS(t3)と、ロックアップ油圧の指令に対する実油圧の応答遅れ時間T_dと、に基づき、コーストロックアップ容量のコースト容量学習値CLPRSLを推定する（図６）。
このため、(1)の効果に加え、スムーズL/U解除制御によるL/U解除の経験数が少なくても、早期にコーストL/U容量の学習を完了することができる。
【００６６】
(3) コーストロックアップ容量学習制御手段（コーストL/U容量学習制御部１２ｂ）は、スムーズロックアップ解除指令が出されるロックアップ解除車速（L/U解除車速VSP_LUOFF）を挟んだ前後車速領域にて、トルクコンバータ３のタービン回転数Ntを一定状態に保ったままとする無段変速機６の変速比制御を行う（図８，９）。
このため、(1)又は(2)の効果に加え、減速度によらず、安定的にコーストL/U容量の推定が可能となり、コーストL/U容量の学習制御精度を向上させることができる。
【００６７】
(4) コーストロックアップ容量学習制御手段（コーストL/U容量学習制御部１２ｂ）は、ロックアップクラッチ３のスリップを表すスリップ相当値（スリップ回転数）の判定閾値として、スリップ検知閾値（スリップ検知差回転数SLIP_N1）と、スリップ検知閾値（スリップ検知差回転数SLIP_N1）より大きな値によるスリップ確定閾値（L/U解放確定差回転数SLIP_N2）を設定し、スリップ相当値（スリップ回転数）が、スリップ検知閾値（スリップ検知差回転数SLIP_N1）を超えてからスリップ確定閾値（L/U解放確定差回転数SLIP_N2）を超えるまでの所要時間（t3−t2）を、ロックアップクラッチ３のスリップ検知からスリップ発生を確定するまでのスリップ時間T_Slip1とする（図６）。
このため、(2)又は(3)の効果に加え、ロックアップクラッチ３のスリップ判定閾値として、判定目的を異ならせた２つの閾値（スリップ検知差回転数SLIP_N1、L/U解放確定差回転数SLIP_N2）を用いることで、コーストL/U容量の学習制御精度を向上させることができる。
【００６８】
(5) コーストロックアップ容量学習制御手段（コーストL/U容量学習制御部１２ｂ）は、ロックアップ油圧の指令に対する実油圧の応答遅れ時間T_dの設定値を、コースト容量学習値の更新があり、かつ、スリップ検知時にロックアップ解除指令値LUPRS(tb)の変動が小さいとき、ロックアップ解除指令（L/U指令油圧）がコースト容量学習値に到達した時刻taから、ロックアップクラッチ３のスリップ発生が検知される時刻tbまでの所要時間ΔT(＝tb−ta)を用いて補正する応答遅れ時間設定値補正部１２ｃを有する（図３）。
このため、(2)〜(4)の効果に加え、油圧応答遅れ考慮時間T_dの設定値補正（設定値修正）により、油圧応答遅れ考慮時間T_dが実際の遅れ時間に合うことで、コーストL/U容量の学習制御精度を向上させることができる。加えて、誤学習や学習値異常等により学習値をリセットする場合において、正確な学習値に早期に復帰できる。
【００６９】
以上、本発明の車両のロックアップクラッチ制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００７０】
実施例１では、コーストL/U容量学習制御手段として、L/U解除スロープαと、スリップ時間（T_Slip0＋T_Slip1）と、ロックアップ指令値LUPRS(t3)と、油圧応答遅れ時間T_dと、に基づき、コーストL/U容量のコースト容量学習値を推定演算する例を示した。しかし、コーストL/U容量学習制御手段としては、L/U解除スロープαと、スリップ検知時のロックアップ指令値と、に基づき、コーストL/U容量のコースト容量学習値を推定するような例であっても良い。この場合、油圧応答遅れ時間T_d等は、誤差分として取り扱ったり、或いは、オフセット油圧分にて吸収したりする。
【００７１】
実施例１では、L/U解除スロープαを一定にした例を示した。しかし、L/U解除指令時の減速度に応じて、或いは、L/U解除指令時のエンジントルク（負）の大きさに応じて、L/U解除スロープαを設定するような例であっても良い。この場合、L/U解除実施中（L/U解除指令後〜解除完了）の間はL/U解除スロープαを保持するとし、油圧応答遅れ時間T_dは、L/U解除スロープαに応じて設定するような例であっても良い。
【００７２】
実施例１では、ロックアップクラッチ３のスリップを表すスリップ相当値として、タービン回転数Ntとエンジン回転数Neの差によるスリップ回転数を用いる例を示した。しかし、ロックアップクラッチ３のスリップを表すスリップ相当値としては、ロックアップクラッチ３のスリップ率やスリップ比、等を用いても良い。また、判定閾値として、スリップ検知閾値（スリップ検知差回転数SLIP_N1）とスリップ確定閾値（L/U解放確定差回転数SLIP_N2）を設定する例を示した。しかし、判定閾値としては、例えば、スリップ検知閾値のみを設定するような例であっても良い。
【００７３】
実施例１では、L/U油圧の指令に対する実油圧の応答遅れ時間T_dの設定値を、コースト容量学習値の更新があったとき補正（修正）する好ましい例を示した。しかし、油圧応答遅れ時間T_dの設定値としては、予め与えた固定値を用いる例であっても良い。
【００７４】
実施例１では、本発明のロックアップクラッチ制御装置をエンジン車に適用する例を示した。しかし、本発明のロックアップクラッチ制御装置は、駆動源にエンジンが搭載された車両であれば、ハイブリッド車に対しても適用することができる。要するに、ロックアップクラッチを有するトルクコンバータを、エンジンと無段変速機の間に備えた車両であれば適用できる。
【符号の説明】
【００７５】
１  エンジン
２  エンジン出力軸
３  ロックアップクラッチ
４  トルクコンバータ
５  変速機入力軸
６  無段変速機
７  ドライブシャフト
８  駆動輪
１１  エンジンコントロールユニット
１２  ＣＶＴコントロールユニット
１２ａ  スムーズL/U解除制御部（スムーズロックアップ解除制御手段）
１２ｂ  コーストL/U容量学習制御部（コーストロックアップ容量学習制御手段）
１２ｃ  応答遅れ時間設定値補正部
１３  ＣＡＮ通信線
１４  エンジン回転センサ
１５  タービン回転センサ（＝変速機入力回転センサ）
１６  変速機出力回転センサ（＝車速センサ）
１７  アクセル開度センサ
【図１】
2016017622.tif 000003
【図２】
2016017622.tif 000004
【図３】
2016017622.tif 000005
【図４】
2016017622.tif 000006
【図５】
2016017622.tif 000007
【図６】
2016017622.tif 000008
【図７】
2016017622.tif 000009
【図８】
2016017622.tif 000010
【図９】
2016017622.tif 000011
【図１０】
2016017622.tif 000012